(57)【特許請求の範囲】
【請求項１】
受信した印刷データから印刷用のラスタイメージを生成するにあたり、印刷データに付加された印刷レイアウト設定値を取得し、当該印刷レイアウト設定値が反映されたラスタイメージを生成する第一のラスタイメージ生成部と、
所定の文書フォーマットで作成された印刷データを所定のページ記述言語の印刷データに変換した後、変換した印刷データから印刷用のラスタイメージを生成する第二のラスタイメージ生成部と、を有し、
前記第一のラスタイメージ生成部は、
受信した印刷データが所定の文書フォーマットで作成されたものであるとき、当該印刷データに付加された印刷レイアウト設定値を保持する印刷レイアウト設定値保持手段を備え、
前記第二のラスタイメージ生成部は、
所定の文書フォーマットで作成された印刷データを所定のページ記述言語の印刷データに変換する際に、当該印刷データの印刷レイアウト設定値を前記第一のラスタイメージ生成部から取得する印刷レイアウト設定値取得手段と、
取得した印刷レイアウト設定値を変換後の印刷データに反映させる印刷レイアウト設定値反映手段と、を備えることを特徴とする画像形成装置。
【請求項２】
前記第二のラスタイメージ生成部は、
印刷データのページ記述言語を解釈してラスタイメージの描画を実行させるインタープリタと、
所定の文書フォーマットで作成された印刷データを所定のページ記述言語の印刷データに変換する変換モジュールと、
前記変換モジュールの処理結果を前記インタープリタの描画環境に設定するオペレータと、
前記インタープリタに設定された描画環境に応じて、ラスタイメージの描画を実行する描画モジュールと、を備え、
前記印刷レイアウト設定値取得手段は、前記第二のラスタイメージ生成部に追加される追加オペレータにより構成され、
前記印刷レイアウト設定値反映手段は、前記変換モジュールを拡張することにより構成される請求項１記載の画像形成装置。
【請求項３】
前記追加オペレータは、前記第一のラスタイメージ生成部と前記第二のラスタイメージ生成部との間に追加される追加インタフェースを介して、前記第一のラスタイメージ生成部から印刷レイアウト設定値を取得する請求項２記載の画像形成装置。
【請求項４】
所定の画像形成装置のコンピューターを、
受信した印刷データから印刷用のラスタイメージを生成するにあたり、印刷データに付加された印刷レイアウト設定値を取得し、当該印刷レイアウト設定値が反映されたラスタイメージを生成する第一のラスタイメージ生成手段、
所定の文書フォーマットで作成された印刷データを所定のページ記述言語の印刷データに変換した後、変換した印刷データから印刷用のラスタイメージを生成する第二のラスタイメージ生成手段、として機能させ、
前記第一のラスタイメージ生成手段に、
受信した印刷データが所定の文書フォーマットで作成されたものであるとき、当該印刷データに付加された印刷レイアウト設定値を保持させるとともに、
前記第二のラスタイメージ生成手段に、
所定の文書フォーマットで作成された印刷データを所定のページ記述言語の印刷データに変換する際に、当該印刷データの印刷レイアウト設定値を前記第一のラスタイメージ生成手段から取得させ、取得した印刷レイアウト設定値を変換後の印刷データに反映させることを特徴とする画像形成プログラム。
【発明の詳細な説明】
【技術分野】
【０００１】
本発明は、受信した印刷データから印刷用のラスタイメージを生成するラスタイメージ生成部を備えた画像形成装置や画像形成プログラムに関し、特に、所定の文書フォーマットで作成された印刷データを直接受け付けて印刷するダイレクト印刷機能を備えた画像形成装置及び画像形成プログラムに関する。
【背景技術】
【０００２】
所定の文書フォーマット（例えば、ＰＤＦデータ）を直接印刷データとして受け付けて印刷するダイレクト印刷機能（例えば、ＰＤＦダイレクト印刷機能）を備えた画像形成装置が知られている。例えば、特許文献１には、ＰＤＦダイレクト印刷において、クライアントから送信されたＰＤＦデータを外部コントローラで判別し、これが純正ＰＤＦデータであれば、外部コントローラが備えるラスタイメージ生成部で描画処理し、非純正ＰＤＦデータであれば、ＭＦＰが備えるラスタイメージ生成部で描画処理することにより、コード等が異なるＰＤＦデータを正しく処理する技術が開示されている。
【先行技術文献】
【特許文献】
【０００３】
【特許文献１】特開２００７−１５６９０３号公報
【発明の概要】
【発明が解決しようとする課題】
【０００４】
しかしながら、ＰＤＦダイレクト印刷機能を実現する従来の構成では、ユーザからの種々の機能要求を同時に満たすことは困難であった。例えば、ＰＤＦダイレクト印刷において、ＰＤＦの新バージョンへの対応、透明度機能や印刷パフォーマンスの改善等を実現しつつ、印刷レイアウト設定機能（集約印刷、ブックレット印刷等）等、元々のＰＤＦの仕様からの独自拡張機能を短期間でサポートすることは困難であった。
【０００５】
本発明は、上記の事情にかんがみなされたものであり、ダイレクト印刷機能に係るユーザからの種々の機能要求を満たすことができる画像形成装置及び画像形成プログラムの提供を目的とする。
【課題を解決するための手段】
【０００６】
上記目的を達成するため本発明の画像形成装置は、受信した印刷データから印刷用のラスタイメージを生成するにあたり、印刷データに付加された印刷レイアウト設定値を取得し、当該印刷レイアウト設定値が反映されたラスタイメージを生成する第一のラスタイメージ生成部と、所定の文書フォーマットで作成された印刷データを所定のページ記述言語の印刷データに変換した後、変換した印刷データから印刷用のラスタイメージを生成する第二のラスタイメージ生成部と、を有し、前記第一のラスタイメージ生成部は、受信した印刷データが所定の文書フォーマットで作成されたものであるとき、当該印刷データに付加された印刷レイアウト設定値を保持する印刷レイアウト設定値保持手段を備え、前記第二のラスタイメージ生成部は、所定の文書フォーマットで作成された印刷データを所定のページ記述言語の印刷データに変換する際に、当該印刷データの印刷レイアウト設定値を前記第一のラスタイメージ生成部から取得する印刷レイアウト設定値取得手段と、取得した印刷レイアウト設定値を変換後の印刷データに反映させる印刷レイアウト設定値反映手段と、を備えた構成としてある。
【０００７】
また、本発明の画像形成プログラムは、所定の画像形成装置のコンピューターを、受信した印刷データから印刷用のラスタイメージを生成するにあたり、印刷データに付加された印刷レイアウト設定値を取得し、当該印刷レイアウト設定値が反映されたラスタイメージを生成する第一のラスタイメージ生成手段、所定の文書フォーマットで作成された印刷データを所定のページ記述言語の印刷データに変換した後、変換した印刷データから印刷用のラスタイメージを生成する第二のラスタイメージ生成手段、として機能させ、前記第一のラスタイメージ生成手段に、受信した印刷データが所定の文書フォーマットで作成されたものであるとき、当該印刷データに付加された印刷レイアウト設定値を保持させるとともに、前記第二のラスタイメージ生成手段に、所定の文書フォーマットで作成された印刷データを所定のページ記述言語の印刷データに変換する際に、当該印刷データの印刷レイアウト設定値を前記第一のラスタイメージ生成手段から取得させ、取得した印刷レイアウト設定値を変換後の印刷データに反映させるようにしてある。
【発明の効果】
【０００８】
以上のように、本発明によれば、ダイレクト印刷機能に係るユーザからの種々の機能要求をすべて満たすことができる。
【図面の簡単な説明】
【０００９】
【図１】本発明の実施形態に係る画像形成装置が備えるラスタイメージ生成部の構成及び処理手順を示すブロック図である。
【図２】（ａ）は、ダイレクト印刷設定画面を示す説明図、（ｂ）は、ダイレクト印刷における印刷レイアウト設定画面を示す説明図である。
【図３】本発明の実施形態に係る画像形成装置が備えるラスタイメージ生成部の印刷レイアウト設定値取得手順を示すブロック図である。
【図４】参考例１に係る画像形成装置が備えるラスタイメージ生成部の構成及び処理手順を示すブロック図である。
【図５】参考例２に係る画像形成装置が備えるラスタイメージ生成部の構成及び処理手順を示すブロック図である。
【発明を実施するための形態】
【００１０】
以下、本発明に係る画像形成装置（画像形成プログラム）の実施形態について図面を参照して説明する。
ここで、以下に説明する画像形成装置は、パーソナルコンピューター等から印刷データを受け取るデータ受信部、受信した印刷データを解釈して描画データを生成する制御部、描画データにもとづいてトナー像を形成し、印刷用紙等に印字を行う印刷エンジン等を備える（データ受信部、制御部及び印刷エンジンは非図示）。
すなわち、本実施形態に係る画像形成装置は、このような構成によって、プリンターやプリンター機能を有するＭＦＰとしての機能を実現する。
【００１１】
制御部は、ＣＰＵ（Central  Process  Unit）、ＲＯＭ（Read  Only  Memory）及びＲＡＭ（Random  Access  Memory）等により構成されたコンピューターを有する。ＣＰＵは、画像形成プログラムを実行する演算処理装置である。ＲＯＭは、画像形成プログラム及びデータを予め記憶した不揮発性のメモリである。ＲＡＭは、画像形成プログラムを実行する際にそのプログラム及びデータを一時的に記憶して、作業領域として用いるメモリである。ＲＯＭに記憶された画像形成プログラムは、ＣＰＵの制御手段に読み込まれることにより、コンピューターの構成各部に指令を送り、所定の処理、例えば、ＰＪＬインタープリタによる処理、ＰＳインタープリタによる処理、ＰＤＦ／ＰＳ変換処理、ラスタイメージ生成処理などを行わせる。
【００１２】
図１は、本発明の実施形態に係る画像形成装置が備えるラスタイメージ生成部の構成及び処理手順を示すブロック図である。
この図に示すように、本発明の実施形態に係る画像形成装置は、ＰＪＬインタープリタ１０と、第一のラスタイメージ生成部２０と、第二のラスタイメージ生成部３０と、を備えている。
【００１３】
ＰＪＬインタープリタ１０は、ＰＣ等のホストコンピューターから、非図示のデータ受信部を介して所定のプリントジョブ記述言語（ＰＪＬ）で記述された印刷データや所定の文書フォーマットで生成された印刷データ（例えば、ＰＤＦデータ）を受信するとともに、印刷データの受信に応じて、第一のラスタイメージ生成部２０を起動する。印刷データには、ホストコンピューター側で設定された印刷レイアウト設定値（例えば、集約印刷設定値、ブックレット印刷設定値等）も含まれている。
【００１４】
例えば、ＰＤＦデータをダイレクト印刷する場合、ホストコンピューターのディスプレイに図２の（ａ）に示すダイレクト印刷設定画面を表示させ、この画面で「設定」をクリックすると、図２の（ｂ）に示す印刷レイアウト設定画面が表示される。この画面の「レイアウト」の項目で任意のレイアウト（例えば、ブックレット）を選択してからダイレクト印刷操作を行うと、印刷レイアウト設定値が付加されたＰＤＦデータが画像形成装置に送信されるようになっている。このレイアウト設定機能は、元々のＰＤＦの仕様ではなく独自に拡張されたものである。
【００１５】
第一のラスタイメージ生成部２０は、画像形成装置が本来有するラスタイメージプロセッサ（以下、適宜ＲＩＰと言う。）であって、受信した印刷データから印刷用のラスタイメージを生成する。例えば、所定のページ記述言語「ＰｏｓｔＳｃｒｉｐｔ」（以下、適宜ＰＳと言う。）を解釈してラスタイメージの描画を実行させるＰＳインタープリタ２１や、ＰＳインタープリタ２１に設定された描画環境に応じて、ラスタイメージの描画を実行する描画モジュール（図示せず）を備えて構成される。
【００１６】
また、第一のラスタイメージ生成部２０は、受信した印刷データから印刷用のラスタイメージを生成するにあたり、印刷データに付加された印刷レイアウト設定値を取得し、当該印刷レイアウト設定値が反映されたラスタイメージを生成することができる。ただし、第一のラスタイメージ生成部２０においては、ＰＤＦなどの所定の文書フォーマットで作成された印刷データのラスタイメージを生成することはできない。
【００１７】
第二のラスタイメージ生成部３０は、所定の文書フォーマットで作成された印刷データのダイレクト印刷を実現するために画像形成装置に搭載されるラスタイメージプロセッサであって、所定の文書フォーマットで作成された印刷データを所定のページ記述言語の印刷データに変換した後、変換した印刷データから印刷用のラスタイメージを生成することができる。例えば、ＰＤＦデータの場合は、同じメーカ（Ａｄｏｂｅ社）で開発され、仕様が似ているＰｏｓｔＳｃｒｉｐｔデータ（以下、適宜ＰＳデータという。）に変換した後、変換したＰＳデータから印刷用のラスタイメージを生成するのが一般的であり、このような処理が可能なラスタイメージプロセッサとしては、Ａｒｔｉｆｅｘ社のＧｈｏｓｔｓｃｒｉｐｔが知られている。
このように、汎用性の高い既存のＲＩＰを用いることにより、迅速かつ確実なユーザサポートを可能とすることができる。
【００１８】
本発明の実施形態に係る画像形成装置では、このような第二のラスタイメージ生成部３０を搭載するにあたり、第一のラスタイメージ生成部２０には、受信した印刷データが所定の文書フォーマットで作成されたものであるとき、当該印刷データに付加された印刷レイアウト設定値を保持する印刷レイアウト設定値保持手段を設けるようにしている。
また、第二のラスタイメージ生成部３０には、所定の文書フォーマットで作成された印刷データを所定のページ記述言語の印刷データに変換する際に、当該印刷データの印刷レイアウト設定値を第一のラスタイメージ生成部２０から取得する印刷レイアウト設定値取得手段と、取得した印刷レイアウト設定値を変換後の印刷データに反映させる印刷レイアウト設定値反映手段と、を設けるようにしている。
以下、第二のラスタイメージ生成部３０の具体的な構成について、図１を参照して説明する。
【００１９】
図１に示すように、第二のラスタイメージ生成部３０は、印刷データのページ記述言語「ＰｏｓｔＳｃｒｉｐｔ」を解釈してラスタイメージの描画を実行させるＰＳインタープリタ３１と、所定の文書フォーマット「ＰＤＦ」で作成された印刷データを所定のページ記述言語「ＰｏｓｔＳｃｒｉｐｔ」の印刷データに変換するＰＤＦ／ＰＳ変換モジュール３２と、ＰＤＦ／ＰＳ変換モジュール３２の処理結果をＰＳインタープリタ３１の描画環境に設定するＰＳオペレータ３３と、ＰＳインタープリタ３１に設定された描画環境に応じて、ラスタイメージの描画を実行する描画モジュール３４と、を予め備えており、ここに、前述した印刷レイアウト設定値取得手段と印刷レイアウト設定値反映手段が追加される。
【００２０】
印刷レイアウト設定値反映手段は、ＰＤＦ／ＰＳ変換モジュール３２を拡張することにより構成される。例えば、画像形成装置独自の印刷レイアウト設定値をＰＳデータに変換する機能をＰＤＦ／ＰＳ変換モジュール３２に追加する。
【００２１】
印刷レイアウト設定値取得手段は、第二のラスタイメージ生成部３０に追加される追加ＰＳオペレータ３５により構成される。つまり、ＰＤＦ／ＰＳ変換モジュール３２（第二のラスタイメージ生成部３０）は、Ｃ言語プログラムではなく、ＰｏｓｔＳｃｒｉｐｔプログラムであるので、独自の追加ＰＳオペレータ３５を追加することによって印刷レイアウト設定値取得手段を得る。このようにすると、ＰＤＦ／ＰＳ変換モジュール３２の拡張を最小限に抑えることができるので、ＰＤＦの新バージョンへの対応や、透明度機能や印刷パフォーマンスの改善が図られた高機能のＰＤＦ対応ＲＩＰを短期間で実現することが可能になる。
【００２２】
追加ＰＳオペレータ３５は、第一のラスタイメージ生成部２０と第二のラスタイメージ生成部３０との間に追加される追加インタフェース４０を介して、第一のラスタイメージ生成部２０から印刷レイアウト設定値を取得することが好ましい。このようにすると、アーキテクチャが全く異なるラスタイメージ生成部２０、３０間でも、印刷レイアウト設定値を容易に取得することが可能になる。
【００２３】
次に、画像形成装置がＰＤＦデータを受信した際の処理手順について、図１を参照して説明する。
【００２４】
図１に示すように、ＰＪＬインタープリタ１０がＰＤＦデータを受け取ったら、第一のラスタイメージ生成部２０（ＰＳインタープリタ２１）を起動する。第一のラスタイメージ生成部２０は、ＰＤＦデータに印刷レイアウト設定値が付加されていれば、それをＰＳインタープリタ２１に保持する（図１の手順１参照）。
【００２５】
次に、第一のラスタイメージ生成部２０は、第二のラスタイメージ生成部３０にＰＤＦデータを処理させるために、第二のラスタイメージ生成部３０（ＰＳインタープリタ３１）を起動する（図１の手順２参照）。
ＰＳインタープリタ３１は、ＰＤＦデータを処理するためにＰＤＦ／ＰＳ変換モジュール３２を読み込んで実行する（図１の手順３参照）。
【００２６】
ＰＤＦ／ＰＳ変換モジュール３２は、印刷レイアウト設定値を取得するために、追加ＰＳオペレータ３５を実行する（図１の手順４参照）。
追加ＰＳオペレータ３５は、追加インタフェース４０が持つレイアウト設定値取得関数を呼ぶ（図１の手順５参照）。
【００２７】
追加インタフェース４０は、第一のラスタイメージ生成部２０が持つレイアウト設定値取得関数を呼ぶ（図１の手順６参照）。
ＰＤＦ／ＰＳ変換モジュール３２は、印刷レイアウト設定値を取得したら、その設定値に応じて、集約やブックレットのページ割り付け処理をする（図１の手順７参照）。
【００２８】
次に、ＰＤＦ／ＰＳ変換モジュール３２は、ページ割り付け処理結果をＰＳインタープリタ３１の描画環境に設定するために、ＰＳオペレータ３３を実行する（図１の手順８参照）。
ＰＳオペレータ３３は、描画環境をＰＳインタープリタ３１に反映する（図１の手順９参照）。
【００２９】
ＰＳインタープリタ３１は、自身が保持する描画環境に応じて、ページの描画処理を実行する（図１の手順１０参照）。
描画モジュール３４は、ページごと描画データを生成して非図示の印刷エンジン等に出力する（図１の手順１１参照）。
【００３０】
次に、第二のラスタイメージ生成部３０による印刷レイアウト設定値の具体的な取得手順について、図３を参照して説明する。
図３は、本発明の実施形態に係る画像形成装置が備えるラスタイメージ生成部の印刷レイアウト設定値取得手順を示すブロック図である。
この図に示すように、ＰＤＦ／ＰＳ変換モジュール３２は、ＰｏｓｔＳｃｒｉｐｔで記述されており、ＰＳインタープリタ３１は、ＰＤＦ／ＰＳ変換モジュール３２を自身のＰｏｓｔＳｃｒｉｐｔパーサで解析する。ＰＳインタープリタ３１は、ＰＤＦ／ＰＳ変換モジュール３２の解析の中に、印刷レイアウト設定値を取得するための追加ＰＳオペレータ３５をパースしたら、そのオペレータ３５に関連付けられたＣ言語関数を実行して第一のラスタイメージ生成部２０から印刷レイアウト設定値を取得する。
【００３１】
なお、図１では、処理手順等の説明の便宜のため、ＰＤＦ／ＰＳ変換モジュール３２から追加ＰＳオペレータ３５やＰＳオペレータ３３に向かった矢印が記されているが、実際には、ＰＤＦ／ＰＳ変換モジュール３２を解析しているＰＳインタープリタ３１が追加ＰＳオペレータ３５やＰＳオペレータ３３を実行するようにしている。
【００３２】
次に、本発明の実施形態に係る画像形成装置の優位性について、参考例と比較しつつ説明する。
【００３３】
図４は、参考例１に係る画像形成装置が備えるラスタイメージ生成部の構成及び処理手順を示すブロック図、図５は、参考例２に係る画像形成装置が備えるラスタイメージ生成部の構成及び処理手順を示すブロック図である。
図４に示す参考例１の画像形成装置では、ＰＤＦ対応ＲＩＰ（例えば、Ｇｈｏｓｔｓｃｒｉｐｔ）を構成するＰＤＦ／ＰＳ変換モジュール１３２のみを実装することで、ＰＤＦダイレクト印刷を実現している。
【００３４】
ＰＤＦ／ＰＳ変換モジュール１３２は、前述したＰＤＦ／ＰＳ変換モジュール３２と同様に拡張し、印刷レイアウト設定値は、第一のラスタイメージ生成部１２０に設けられるＰＳオペレータ１２２を介して、第一のラスタイメージ生成部１２０のＰＳインタープリタ１２１から取得する。そして、ＰＤＦ／ＰＳ変換モジュール１３２は、印刷レイアウト設定値を取得したら、その設定値に応じて、集約やブックレットのページ割り付け処理をし、ＰＳオペレータ１２２を介して、ページ割り付け処理結果をＰＳインタープリタ１２１の描画環境に設定する。その後、ＰＳインタープリタ１２１は、第一のラスタイメージ生成部１２０の描画モジュール１２３で描画を実行する。
【００３５】
このように構成された画像形成装置でも、画像形成装置独自の印刷レイアウト設定機能がサポートされたＰＤＦダイレクト印刷が可能であるが、第一のラスタイメージ生成部１２０側で描画を行うので、ＰＤＦの新バージョンへの対応、透明度機能や印刷パフォーマンスの改善等を短期間で実現することは難しい。その理由は、参考例１の構成では、ＰＤＦの新バージョンへの対応、透明度機能や印刷パフォーマンスの改善等を実現する場合、ＰＤＦ／ＰＳ変換モジュール１３２だけでなく、画像形成装置独自のラスタイメージプロセッサである第一のラスタイメージ生成部１２０の大幅な改良が必要だからである。
【００３６】
一方、図５に示す参考例２の画像形成装置では、本発明の実施形態に係る画像形成装置と同様に、ＰＤＦ対応ＲＩＰ（例えば、Ｇｈｏｓｔｓｃｒｉｐｔ）を第二のラスタイメージ生成部２３０として搭載し、第二のラスタイメージ生成部２３０側で描画を行うので、このようなＰＤＦ対応ＲＩＰを搭載するだけで、ＰＤＦの新バージョンをサポートし、透明度機能や印刷パフォーマンスを短期間で改善することが可能である。しかしながら、このように構成された画像形成装置では、ＰＤＦダイレクト印刷において、画像形成装置独自の印刷レイアウト設定機能をサポートすることができない。
【００３７】
そこで、本発明の実施形態に係る画像形成装置は、図１に示すような構成とすることにより、ＰＤＦダイレクト印刷において、ＰＤＦの新バージョンへの対応、透明度機能や印刷パフォーマンスの改善、画像形成装置独自の印刷レイアウト設定機能等を短期間でサポートできるようにしたものである。
【００３８】
以上のように構成された本実施形態の画像形成装置によれば、所定の文書フォーマットで作成された印刷データのダイレクト印刷において、文書フォーマットの新バージョンへの対応や機能改善、画像形成装置独自の印刷レイアウト設定機能等を迅速にサポートすることができる。
【００３９】
また、汎用のＲＩＰを用いることにより各構成部の拡張や変更を最少限に抑えつつ、最新のＰＤＦ対応ＲＩＰを短期間で実現することが可能になる。
この際、追加ＰＳオペレータ３５及び追加インタフェース４０を構成するようにしているため、アーキテクチャが全く異なるＲＩＰ間でも、印刷レイアウト設定値を容易に取得することが可能になる。
【００４０】
以上、本発明について、実施形態を示して説明したが、本発明は、上述した実施形態にのみ限定されるものではなく、特許請求の範囲内で種々の変更が可能であることは言うまでもない。
例えば、前記実施形態では、第二のラスタイメージ生成部に相当するＲＩＰとしてＡｒｔｉｆｅｘ社のＧｈｏｓｔｓｃｒｉｐｔを用いた例について説明したが、これに限定するものではなく、ＰＤＦの新バージョンや透明度機能等をサポートする他のＲＩＰを用いることによっても同様の効果を奏することができる。
また、ダイレクト印刷機能の対象となる所定の文書フォーマットとしてＰＤＦを例示したが、ＰＤＦ以外の文書フォーマットにも適用できることは言うまでもない。
【産業上の利用可能性】
【００４１】
本発明は、受信した印刷データから印刷用のラスタイメージを生成するラスタイメージ生成部を備えた画像形成装置や画像形成プログラムにおいて有用である。
【符号の説明】
【００４２】
１０  ＰＪＬインタープリタ
２０  第一のラスタイメージ生成部
２１  ＰＳインタープリタ
３０  第二のラスタイメージ生成部
３１  ＰＳインタープリタ
３２  ＰＤＦ／ＰＳ変換モジュール
３３  ＰＳオペレータ
３４  描画モジュール
３５  追加ＰＳオペレータ
４０  追加インタフェース
【図１】
0005450463.tif 000002
【図２】
0005450463.tif 000003
【図３】
0005450463.tif 000004
【図４】
0005450463.tif 000005
【図５】
0005450463.tif 000006